(57)【要約】【課題】支持杭や橋脚等の水中構造物に対し効率よく設置・撤去可能な仮締切用函体及びそれを使用した仮締切工法の提供。【解決手段】底部に水中構造物Ａが挿通される挿通孔２を有し、水中構造物Ａの外周部を囲むように設置される有底筒状の函本体３と、挿通孔２の内縁と水中構造物との間に介在される環状の止水部材４とを備え、前記函本体３は、端縁部が止水部材４を介して水中構造物Ａに当接するように配置された一又は複数の扉部材５，５からなる開閉可能な開閉扉６を備えた仮締切用函体１。【選択図】図１
2014047533.tif 000002
【特許請求の範囲】
【請求項１】
底部に水中構造物が挿通される挿通孔を有し、前記水中構造物の外周部を囲むように設置される有底筒状の函本体と、前記挿通孔の内縁と前記水中構造物との間に介在される環状の止水部材とを備えてなる仮締切用函体において、
前記函本体は、端縁部が前記止水部材を介して前記水中構造物に当接するように配置された一又は複数の扉部材からなる開閉可能な開閉扉を備えたことを特徴としてなる仮締切用函体。
【請求項２】
前記函本体底部に前記扉部材が嵌合される拡開口部を備え、前記扉部材が前記拡開口部の開口縁部にヒンジを介して開閉可能に支持されてなる請求項１に記載の仮締切用函体。
【請求項３】
前記拡開口部内縁に函内側に向けて傾斜した開口側傾斜部が形成されるとともに、前記各扉部材外縁の前記開口側傾斜部と互いに対向する接合縁部に前記開口側傾斜部と互いに嵌合する扉側傾斜部が形成されてなる請求項２に記載の仮締切用函体。
【請求項４】
前記ヒンジは、一端を前記開閉扉に支持された扉側回転軸に回転自在に連結され、他端が前記開閉窓開口縁部に支持された窓側回転軸に回転自在に連結されたクランク部材を備えてなる請求項２又は３に記載の仮締切用函体。
【請求項５】
前記止水部材は、環状を分割した形状の複数の止水ピースをもって構成し、前記挿通孔の内縁部に前記各止水ピースを孔軸方向でスライド可能に保持する保持部を備えた請求項１〜３又は４に記載の仮締切用函体。
【請求項６】
前記挿通孔は、内縁部に函内側に向けて傾斜したテーパ部を有する形状に形成され、前記止水部材は、外周面部に前記テーパ部内に嵌合するテーパ面部を有する楔形状に形成された請求項１〜４又は５に記載の仮締切用函体。
【請求項７】
底部に水中構造物が挿通される挿通孔を有し、前記水中構造物の外周部を囲むように設置される有底筒状の函本体と、前記挿通孔の内縁と前記水中構造物との間に介在される環状の止水部材とを備えてなる予め製造された仮締切用函体を使用し、
前記挿通孔に前記水中構造物を挿通させた状態で前記函本体を水中の所要位置に設置するとともに、前記止水部材により前記挿通孔と前記水中構造物との間を止水した後、前記函本体内の水を排出して水中構造物の周りにドライ空間を形成し、該ドライ空間内で作業を行う仮締切用函体を使用した仮締切工法において、
前記函本体は、端縁部が前記止水部材を介して前記水中構造物に当接するように配置された一又は複数の扉部材からなる開閉可能な開閉扉を備え、
前記ドライ空間における作業が完了した後、前記開閉扉を開き、その状態で前記函本体を前記水中構造物に沿って撤去する仮締切用函体を使用した仮締切工法。
【発明の詳細な説明】
【技術分野】
【０００１】
本発明は、水中に設置された橋脚や桟橋用支持杭等の構造物の補修・補強作業等において乾式作業空間を設ける為の仮締切用函体及びそれを使用した仮締切工法に関する。
【背景技術】
【０００２】
従来、河川や港湾等の水中に設置された橋脚や桟橋用支持杭等の構造物の補修・補強作業等には、水中構造物の周りに鋼矢板や鋼管矢板を立設してその構造物の周辺を囲うとともに、その囲われた内部空間をドライな状態にして作業を行う仮締切工法が広く用いられている。
【０００３】
しかしながら、上述の如き鋼矢板や鋼管矢板を用いた仮締切工法では、上部工により水面上の作業空間が制限される為、鋼矢板等の打設・撤去作業に多大な時間と費用を要するという問題があった。
【０００４】
そこで、予め工場や作業現場の地上部分等で鋼製の仮締切用函体を製作しておき、それを作業現場に運搬・曳航して水中構造物の外周部に設置し、仮締切用函体内の水を排出することによりドライ環境を形成する仮締切工法が提案されている（例えば、特許文献１を参照）。
【０００５】
このような仮締切り工法には、底部に水中構造物が挿通される挿通孔を有する有底筒状の函本体と、挿通孔内縁と水中構造物との間の隙間を止水するゴムパッキン等の止水部材とを備えてなる仮締切用函体が使用され、この仮締切用函体を上端開口部が水面上に突出した状態で水中に設置し、仮締切用函体内の水を排水（ドライアップ）することにより、仮締切用函体内にドライ環境を形成するようにしたものが知られている。
【０００６】
この函本体１００は、図９、図１０に示すように、外周面部に配置されたヒンジ１０１を介して接合された一対の半割函体１０２，１０２をもって有底筒状に形成され、ヒンジ１０１を軸に両半割函体１０２，１０２を開いた状態で水中に沈めて水中構造物Ａの外周部に配置した後、両半割函体１０２，１０２を閉じて接合部を潜水士により水中にてボルト締めすることで函本体１００を組み立てるようになっている。
【０００７】
また、仮締切用函体を撤去する際には、潜水士によりボルトを取り外して両半割函体１０２，１０２をヒンジ１０１を介して開いた状態とし、その状態でクレーン等で函本体１００を吊り上げるようになっている。
【先行技術文献】
【特許文献】
【０００８】
【特許文献１】特開平０９−１８９０４３号公報
【発明の概要】
【発明が解決しようとする課題】
【０００９】
しかしながら、上述の如き従来の技術では、函本体を一対の半割函体により構成した場合、重量の嵩む半割函体を水中で開閉動作させることに困難性を伴うとともに、その重量が嵩む半割体同士の開閉動作を可能とするために多くのヒンジ部材やボルト締め部材等が必要となるため函本体全体の重量が嵩むという問題があり、また、両半割函体のボルト締めによる接合又は解体を水中で潜水士の手により行う必要があり、作業性及び作業効率が悪いという問題があった。
【００１０】
そのことから、水中での函本体の組み立て作業を行わずに、上述の有底筒状の函本体が水中構造物に対しスライド移動することにより設置或いは撤去できることが望ましい。
【００１１】
しかしながら、函本体の底部の挿通孔と水中構造物との間を止水部材により止水するようにした構造では、仮締切用函体内の水を排出し、ドライ環境を形成することにより、函内外で圧力差が生じてパッキン等の止水部材が函内側に向けて強く締め込まれ、それにより高い止水効果が得られるが、補修作業等が完了し、仮締切用函体を撤去する際には、当該止水部材による締め込み力が撤去の妨げとなり、仮締切用函体の水中構造物に対する相対スライド移動を阻害する虞があった。
【００１２】
また、この強く締め込まれた止水部材の撤去は、水中で潜水士の手によって行わなければならず、作業効率が悪く工期短縮の阻害要因となっていた。
【００１３】
また、補修作業等により水中構造物の断面積が増大した部分や水中構造物の外周より外側に向けて突出した突起部分が形成された際には、当該部分に函本体底部が接触するために有底筒状を維持したまま仮締切用函体を撤去することができないという問題があった。
【００１４】
そこで、本発明は、このような従来の問題に鑑み、支持杭や橋脚等の水中構造物に対し効率よく設置・撤去可能な仮締切用函体及びそれを使用した仮締切工法の提供を目的としてなされたものである。
【課題を解決するための手段】
【００１５】
上述の如き従来の問題を解決するための請求項1に記載の発明の特徴は、底部に水中構造物が挿通される挿通孔を有し、前記水中構造物の外周部を囲むように設置される有底筒状の函本体と、前記挿通孔の内縁と前記水中構造物との間に介在される環状の止水部材とを備えてなる仮締切用函体において、前記函本体は、端縁部が前記止水部材を介して前記水中構造物に当接するように配置された一又は複数の扉部材からなる開閉可能な開閉扉を備えたことにある。
【００１６】
請求項２に記載の発明の特徴は、請求項１の構成に加え、前記函本体底部に前記扉部材が嵌合される拡開口部を備え、前記扉部材が前記拡開口部の開口縁部にヒンジを介して開閉可能に支持されてなることにある。
【００１７】
請求項３に記載の発明の特徴は、請求項２の構成に加え、前記拡開口部内縁に函内側に向けて傾斜した開口側傾斜部が形成されるとともに、前記各扉部材外縁の前記開口側傾斜部と互いに対向する接合縁部に前記開口側傾斜部と互いに嵌合する扉側傾斜部が形成されたことにある。
【００１８】
請求項４に記載の発明の特徴は、請求項２又は３の構成に加え、前記ヒンジは、一端を前記開閉扉に支持された扉側回転軸に回転自在に連結され、他端が前記開閉窓開口縁部に支持された窓側回転軸に回転自在に連結されたクランク部材を備えてなることにある。
【００１９】
請求項５に記載の発明の特徴は、請求項１〜３又は４の構成に加え、前記止水部材は、環状を分割した形状の複数の止水ピースをもって構成し、前記挿通孔の内縁部に前記各止水ピースを孔軸方向でスライド可能に保持する保持部を備えたことにある。
【００２０】
請求項６に記載の発明の特徴は、請求項１〜４又は５の構成に加え、前記挿通孔は、内縁に函内側に向けて傾斜したテーパ部を有する形状に形成され、前記止水部材は、外周面部に前記テーパ部内に嵌合するテーパ面部を有する楔形状に形成されたことにある。
【００２１】
請求項７に記載の発明の特徴は、底部に水中構造物が挿通される挿通孔を有し、前記水中構造物の外周部を囲むように設置される有底筒状の函本体と、前記挿通孔の内縁と前記水中構造物との間に介在される環状の止水部材とを備えてなる予め製造された仮締切用函体を使用し、前記挿通孔に前記水中構造物を挿通させた状態で前記函本体を水中の所要位置に設置するとともに、前記止水部材により前記挿通孔と前記水中構造物との間を止水した後、前記函本体内の水を排出して水中構造物の周りにドライ空間を形成し、該ドライ空間内で作業を行う仮締切用函体を使用した仮締切工法において、前記函本体は、端縁部が前記止水部材を介して前記水中構造物に当接するように配置された一又は複数の扉部材からなる開閉可能な開閉扉を備え、前記ドライ空間における作業が完了した後、前記開閉扉を開き、その状態で前記函本体を前記水中構造物に沿って撤去することにある。
【発明の効果】
【００２２】
本発明に係る仮締切用函体は、上述したように、底部に水中構造物が挿通される挿通孔を有し、前記水中構造物の外周部を囲むように設置される有底筒状の函本体と、前記挿通孔の内縁と前記水中構造物との間に介在される環状の止水部材とを備えてなる仮締切用函体において、前記函本体は、端縁部が前記止水部材を介して前記水中構造物に当接するように配置された一又は複数の扉部材からなる開閉可能な開閉扉を備えたことにより、作業終了後、仮締切函体を撤去する際に開閉扉を開くことにより、好適に止水部材を水中構造物より離脱させることができ、止水部材が函本体の撤去作業を阻害することが防止できる。
【００２３】
また、補修作業等により既存の水中構造物の外周面より張り出した部分が形成された場合であっても、函本体底部が当該張り出した部分と接触することがなく、水中で函本体を解体することなく撤去することができ、作業効率がよい。
【００２４】
また、本発明において、前記函本体底部に前記扉部材が嵌合される拡開口部を備え、前記扉部材が前記拡開口部の開口縁部にヒンジを介して開閉可能に支持されたことにより、開閉扉を好適に開閉でき、また、開閉扉の開閉により挿通孔より開口面積の大きな開口部を確保することができる。
【００２５】
更に本発明において、前記拡開口部内縁に函内側に向けて傾斜した開口側傾斜部が形成されるとともに、前記各扉部材外縁の前記開口側傾斜部と互いに対向する接合縁部に前記開口側傾斜部と互いに嵌合する扉側傾斜部が形成されたことにより、ドライアップ時に生じる函内外の圧力差により各扉部材が閉鎖方向に付勢された際に、当該付勢力に対し高い耐力を発揮でき、扉部材が函内側に回動するのを防止することができる。
【００２６】
更にまた本発明において、前記ヒンジは、一端を前記開閉扉に支持された扉側回転軸に回転自在に連結され、他端が前記開閉窓開口縁部に支持された窓側回転軸に回転自在に連結されたクランク部材を備えてなることにより、開閉扉の開閉動作を円滑に行うことができる。
【００２７】
また、本発明において、前記止水部材は、環状を分割した形状の複数の止水ピースをもって構成し、前記挿通孔の内縁部に前記各止水ピースを孔軸方向でスライド可能に保持する保持部を備えたことにより、止水ピースを水中構造物より離脱した状態に保持することができ、円滑に設置作業を行うことがでる。
【００２８】
更に、本発明において、前記挿通孔は、内縁に函内側に向けて傾斜したテーパ部を有する形状に形成され、前記止水部材は、外周面部に前記テーパ部内に嵌合するテーパ面部を有する楔形状に形成されたことにより、ドライアップ時の函本体内外の圧力差を利用して高い止水効果を得ることができる。
【００２９】
本発明に係る仮締切用函体を使用した仮締切工法は、上述したように、底部に水中構造物が挿通される挿通孔を有し、前記水中構造物の外周部を囲むように設置される有底筒状の函本体と、前記挿通孔の内縁と前記水中構造物との間に介在される環状の止水部材とを備えてなる予め製造された仮締切用函体を使用し、前記挿通孔に前記水中構造物を挿通させた状態で前記函本体を水中の所要位置に設置するとともに、前記止水部材により前記挿通孔と前記水中構造物との間を止水した後、前記函本体内の水を排出して水中構造物の周りにドライ空間を形成し、該ドライ空間内で作業を行う仮締切用函体を使用した仮締切工法において、前記函本体は、端縁部が前記止水部材を介して前記水中構造物に当接するように配置された一又は複数の扉部材からなる開閉可能な開閉扉を備え、前記ドライ空間における作業が完了した後、前記開閉扉を開き、その状態で前記函本体を前記水中構造物に沿って撤去することにより、好適に止水部材を水中構造物より離脱させて止水部材が函本体の撤去作業を阻害することを防止でき、且つ、挿通孔より開口面積の大きな開口部を確保することができ、補修作業等により既存水中構造物の外周面より張り出した部分と接触することがないので、水中で函本体を解体する必要なく、効率よく撤去作業を行うことができ、工期の短縮を図ることができる。
【図面の簡単な説明】
【００３０】
【図１】本発明に係る仮締切用函体の使用状態の一例を示す縦断面図である。
【図２】同上の函本体の平面図である。
【図３】同上のＡ−Ａ線断面図である。
【図４】同上のＢ−Ｂ線断面図である。
【図５】本発明に係る仮締切用函体の他の実施例を示す部分拡大縦断面図である。
【図６】図１中の止水部材を示す分解斜視図である。
【図７】本発明に係る仮締切用函体を使用した仮締切工法における函体設置作業の各工程の状況を示す縦断面図である。
【図８】同上の函体撤去作業の各工程の状況を示す縦断面図である。
【図９】従来の仮締切用函体の一例を示す縦断面図である。
【図１０】同上の平面図である。
【発明を実施するための形態】
【００３１】
次に、本発明に係る仮締切用函体の実施の態様を図１〜図６に示した実施例に基づいて説明する。尚、図中符号Ａは水中に立設された桟橋支持用の鋼管杭等の水中構造物、符号１は水中構造物Ａに設置される仮締切用函体である。
【００３２】
この仮締切用函体１は、底部に水中構造物Ａが挿通される挿通孔２を有する有底筒状の函本体３と、挿通孔２の内縁と水中構造物Ａ外周との間に介在される環状の止水部材４とを備え、水中構造物Ａに対し函本体３の上端開口部が水面Ｂより突出した状態で設置され、函本体３内の水を排出すること（ドライアップ）により水中構造物Ａの周りにドライ空間を形成できるようになっている。
【００３３】
また、この仮締切用函体１には、閉鎖時において端縁部が止水部材４を介して水中構造物Ａの外周面に当接するように配置された扉部材５，５からなる開閉可能な開閉扉６を備え、この開閉扉６を開くことにより、止水部材４を水中構造物Ａより離脱させることができるとともに、函本体３底部に挿通孔２よりも大きな開口部を確保できるようになっている。
【００３４】
函本体３は、図１、図２に示すように、多角形平板状の底版部７と、底版部７の周縁より立ち上げた形状の周壁部８とをもって上端が開口した有底筒状に形成され、底版部７の中央部に挿通孔２が形成されている。
【００３５】
この函本体３は、上端にクレーンより繰り出されたワイヤーロープ９の先端が固定される吊り持ち用部材１０を備え、クレーンにより吊り下げることができるようになっている。
【００３６】
函本体３は、多角形筒状を縦割りに分割した形状に形成された鋼製の周壁部ユニット１１，１１...と、多角形平板状の鋼製の底版部ユニット１２とをもって構成され、各ユニットを互いに止水された状態で工場又は作業現場の水上に設定された作業エリアで予め組み立てられるようになっている。また、各周壁部ユニット１１，１１...は、筒軸方向で分離できるようになっている。
【００３７】
尚、函本体３は、上述の構造に限定されず、底版部７及び周壁部８を鋼材により一体に形成したものであってもよく、また、有底筒状を縦に半割りにした形状の一対の半割函体により構成され、両半割函体がヒンジを介して開閉できるようにしたもの等であってもよい。
【００３８】
この函本体３の周壁部８には、函本体３内に外部の水を導入するための開閉可能な注水口１３が形成され、この注水口１３は、図示しない開閉弁により開閉されるようになっている。
【００３９】
また、函本体３には、互いに交差するように配置された一対の仮固定用梁材１４，１４からなる仮固定部１５を備え、各仮固定用梁材１４，１４の両端がそれぞれ周壁部８の内側面に固定されており、この仮固定部１５を水中構造物Ａの上端に支持させることにより、仮締切用函体１を水中構造物Ａの所要位置に設置できるようになっている。
【００４０】
この仮固定部１５の中央下面部、即ち、両仮固定用梁材１４，１４が交差する部分の下面部には、環状に配置された複数の位置決めガイド部材１６，１６...が突設され、この各位置決めガイド部材１６，１６...の内側に水中構造物Ａの上端が嵌り込むことにより水中構造物Ａと函本体３との中心位置合わせがなされるようになっている。
【００４１】
更に、函本体３には、上端開口内縁部に互いに交差し且つ互いに対向する内側面間に架け渡した配置に固定させた一対の浮き上がり防止用梁材１７，１７を備え、この浮き上がり防止用梁材１７，１７より垂下させたチェーン等からなる浮き上がり防止部材１８，１８...の下端をフック１９等を介して水中構造物Ａの上端に連結させることにより、水中に設置された仮締切用函体１が浮力により浮き上がるのを防止するようになっている。
【００４２】
また、必要に応じて水中構造物Ａ外周面部と函本体３の周壁部８内周面部との間に揺動防止用梁材２０，２０...を架け渡すように設置し、その両端をそれぞれ水中構造物Ａ外周面及び周壁部８内周面に固定することにより、仮締切用函体１を安定した状態で水中構造物Ａに設置できる。
【００４３】
一方、函本体３底部を構成する底版部７には、底版部７厚み方向に貫通した矩形状の拡開口部２１が形成され、この拡開口部２１内に一対の扉部材５，５がその外縁を拡開口部２１内縁に突き合わせた状態で嵌合されるとともに、各扉部材５，５が拡開口部２１の開口縁部にヒンジ２２を介して開閉可能に支持されている。
【００４４】
この拡開口部２１は、内周縁部に函内側に向けて傾斜、即ち、函内側に進むにつれてその内周縁部の対向側に近づくように傾斜した開口側傾斜部２３を備え、例えば、函外側の開口面積が広く函内側の開口面積が狭い四角錐台孔状に形成されている。
【００４５】
尚、この拡開口部２１の開口面積は、補修作業等により既存の水中構造物Ａ外周面より外側に張り出した部分の想定される張り出し幅を考慮して決定され、当該張り出し部分と互いに干渉しないように形成される。
【００４６】
各扉部材５，５は、拡開口部２１の形状に合わせて矩形版状に形成され、互いに挿通孔２を介して突き合わされる端縁部に挿通孔２を二分割した形状の凹部２ａを有し、両扉部材５，５が閉じられることにより、四角錐台状を成し拡開口部２１が閉鎖されるとともに、両凹部２ａ，２ａが挿通孔２を形成するようになっている。
【００４７】
また、各扉部材５，５の周縁部には、互いに対向する開口側傾斜部２３の傾斜に合わせて傾斜した形状の扉側傾斜部２４が形成され、開閉扉６が閉じられた状態では、両傾斜部２３，２４が互いに突き合わされるようになっている。
【００４８】
尚、互いに対向する拡開口部２１内縁と扉部材５，５外縁との間には、ゴムパッキン等の止水材２５が介在され、開閉扉６が閉じられた際、拡開口部２１と扉部材５，５との間が止水されるようになっている。
【００４９】
また、互いに突き合わせ配置に対向する拡開口部２１内縁部及び扉部材５，５外縁部にそれぞれ傾斜部を設け、その対向面部間に止水材２５を介在させた構造としたことにより、ドライアップ時に生じる函内外の圧力差により各扉部材５，５が閉鎖方向に付勢された際に、当該付勢力に対し高い耐力を発揮できるようになっている。
【００５０】
各扉部材５，５は、図３、図４に示すように、凹部２ａとは反対側の端部下面がヒンジ２２を介して拡開口部２１の外側開口縁部に回動可能に接合され、両扉部材５，５がヒンジ２２を介して下向きに回動することにより開閉扉６が開閉するようになっている。
【００５１】
また、各扉部材５，５の周縁部上面及び拡開口部２１の内側開口縁部には、一対の固定部材２６，２６がそれぞれ固定され回動規制手段を形成し、この両固定部材２６，２６を連結ピン等の連結部材２７により連結することにより、扉部材５，５の回動動作を規制できるようになっている。
【００５２】
ヒンジ２２は、図３のように一般的な蝶番状であってもよいが、図５に示すように、一端を扉部材５，５に支持された扉側回転軸２８に回転自在に連結され、他端が拡開口部２１の開口縁部に支持された開口側回転軸２９に回転自在に連結されたクランク部材３０を備えたものであってもよい。その場合、扉部材５，５を開く際、図５（ｂ）に示すように、両扉部材５，５が傾斜部２３，２４の傾斜に沿って移動した後、図５（ｃ）のように開口側回転軸２９を中心に回動するようになっている。
【００５３】
挿通孔２は、内周縁部に函内側に向けて傾斜、即ち、函内側に進むにつれてその内周縁部の対向側に近づくように傾斜したテーパ部３１を有する形状に形成され、止水部材４が挿通孔２の函内側に向けて楔状に嵌め込まれることにより挿通孔２内縁と水中構造物Ａとの間の隙間を止水するようになっている。
【００５４】
止水部材４は、中央に水中構造物Ａが貫通される貫通孔３２が形成された環状を成し、外周部に挿通孔２のテーパ部３１の形状に合わせて傾斜したテーパ面部３３を備え、このテーパ面部３３が挿通孔２のテーパ部３１の内側に嵌合されることにより、挿通孔２内縁と水中構造物Ａ外周との間の隙間を閉鎖し、止水するようになっている。
【００５５】
また、止水部材４が挿通孔２に楔状に嵌め込まれる形状としたことにより、ドライアップ時に函内外で生じる圧力差により挿通孔２内縁及び水中構造物Ａ外面から受ける圧縮力が増す方向、即ち、函内側に向けて圧入され、高い止水効果が得られるようになっている。
【００５６】
この止水部材４は、環状を分割した形状のゴム材等の弾性及び遮水性を有する複数の止水ピース３４，３４...により構成され、この各止水ピース３４，３４...を楔状に挿通孔２に嵌め込むことにより、止水ピース３４，３４...が挿通孔２内縁と水中構造物Ａ外側面との間で圧縮されるとともに、互いに隣り合う止水ピース３４，３４...の環周方向接合端面が圧縮された状態で突き合わされるようになっている。
【００５７】
また、挿通孔２の内縁部には、各止水ピース３４，３４...を移動可能に保持する保持部３５を備え、止水ピース３４，３４...が挿通孔２に嵌め込まれる位置と挿通孔２より離脱する位置との間で移動できるようになっている。尚、各止水ピース３４，３４...には、予め図示しないワイヤー等が取り付けられており、このワイヤーにより保持部３５の下端部から引き上げ、挿通孔２内に嵌め込むことができるようになっている。
【００５８】
保持部３５は、挿通孔２と連続するように傾斜した形状を成し、且つ下端側が底版部７下面より突出したガイド部３６と、突出部の下端にフランジ状に形成された抜け止め部３７とを備えて中空円錐台孔状に形成され、開閉扉６が開いた状態にあっては各扉部材５，５に合わせて保持部分割体３５ａ，３５ａに分割されるようになっている。
【００５９】
このように構成された仮締切用函体１は、開閉扉６が閉じた状態にあっては、底部に挿通孔２が形成され、水中構造物Ａを挿通孔２に挿通させた状態で水中構造物Ａを囲むように設置できるとともに、挿通孔２内縁と水中構造物Ａとの間に止水部材４が介在され、函本体３内にドライ空間を形成することができる。
【００６０】
一方、開閉扉６を開いた状態にあっては、止水部材４が水中構造物Ａより離脱した状態となり、止水部材４が函本体３の移動の妨げとならず、また、挿通孔２より広い開口部が確保されるので、補修作業等により形成された水中構造物Ａの断面積が増大した部分や水中構造物Ａの外周より外側に向けて突出した突起部分が函本体３底部と干渉することがなく、函本体３が有底筒状を維持したまま設置又は撤去できる。
【００６１】
次に、上述の如き仮締切用函体１を使用した仮締切工法について図７〜図８に基づいて説明する。尚、上述の実施例と同様の構成には同一符号を付して説明する。
【００６２】
先ず、作業の事前準備として、図７（ａ）に示すように、既設水中構造物Ａの上端高さを測定するとともに、水中構造物Ａの上端部にフック１９が係止される係止孔４０，４０...を形成する。
【００６３】
また、予め製造された仮締切用函体１の準備作業を行う。
【００６４】
この準備作業は、工場で予め製造された周壁部ユニット１１，１１...及び底版部ユニット１２を作業現場に搬入し、それを地上の作業エリアにて組立て、底部に挿通孔２が形成された有底筒状の函本体３を形成する。
【００６５】
また、上述の測定した水中構造物Ａの上端高さに基づいて仮固定部１５を構成する仮固定用梁材１４，１４の位置を調整し函本体３に固定するとともに、函本体３の上端に浮き上がり防止用梁材１７，１７を固定する。尚、開閉扉６は、閉じられた状態にあって両固定部材２６，２６を連結ピン等の連結部材２７により連結して両扉部材５，５の回動動作が規制されている。
【００６６】
また、各止水ピース３４，３４...を保持部３５の下端側に位置した状態で保持させる。
【００６７】
そして、上記仮締切用函体１の準備が完了したら、図７（ｂ）に示すように、仮締切用函体１をクレーンで吊り上げ、挿通孔２の位置を水中構造物Ａの位置に合わせ、その状態で仮締切用函体１を所要の位置、即ち、仮固定部１５が水中構造物Ａ上端に支持される位置まで降下させる。
【００６８】
その際、各止水ピース３４，３４...が保持部３５の下端に位置することで止水部材４が水中構造物Ａと干渉しないので、仮締切用函体１を容易に降下させることができる。
【００６９】
また、位置決めガイド部材１６，１６...にガイドされることにより水中構造物Ａの中心位置に対し函本体３の中心位置が位置決めされるようになっている。
【００７０】
次に、浮き上がり防止用梁材１７，１７より垂下させたチェーン等の浮き上がり防止部材１８，１８...の下端に取り付けられたフック１９を係止孔４０に係止させ、更に、浮き上がり防止部材１８，１８...を緊張させることにより、水中構造物Ａに函本体３を固定し、水中に設置された仮締切用函体１が浮力により浮き上がるのを防止する。
【００７１】
そして、図７（ｄ）に示すように、必要に応じて潜水士により函本体３と水中構造物Ａとの相対位置関係を調整しつつ揺動防止用梁材２０，２０...を設置し、函本体３の設置が完了する。
【００７２】
函本体３の設置が完了した後、ワイヤーにより各止水ピース３４，３４...を保持部３５下端より引き上げ、挿通孔２内に楔状に嵌め込み各止水ピース３４，３４...からなる止水部材４を挿通孔２内縁と水中構造物Ａ外側面との間に介在させ、挿通孔２内縁と水中構造物Ａとの間の隙間を止水する。
【００７３】
この止水作業が完了した後、図７（ｅ）に示すように、函本体３底部に設置された水中ポンプ４１を使用して函本体３内の水を外部に排出し、函本体３内にドライ空間を形成する。尚、図中符号４２は函本体３内の水を排出するための排水ホースである。
【００７４】
このように函本体３内にドライ空間を形成することにより、函内外に圧力差が生じ、この圧力差により止水部材４が挿通孔２内縁及び水中構造物Ａ外面から受ける圧縮力が増す方向、即ち、函内側に向けて圧入され、高い止水効果が得られるようになっている。
【００７５】
また、当該圧力差により扉部材５，５が函内側に向けて付勢され、それにより拡開口部２１と扉部材５，５との間に介在された止水材２５が圧縮され、高い止水効果が得られるようになっている。
【００７６】
このドライ環境下において、図８（ｆ）に示すように、水中構造物Ａに対する作業、例えば、杭径方向に張り出した形状のブラケット４３の取付け作業等や水中構造物Ａの外周に杭径方向に突出させたスタッドの取り付け作業等を行う。
【００７７】
このように、水中構造物Ａの断面積が増大した部分や突起部分が形成された際には、当該部分に函本体３底部が干渉するために有底筒状を維持したまま仮締切用函体１を撤去することができない。
【００７８】
そこで、ドライ空間での作業が完了した後、以下のように仮締切用函体１の撤去作業を行う。
【００７９】
まず、両固定部材２６，２６を連結する連結ピン等の連結部材２７を取り外し、両扉部材５，５の回動規制を解除した後、函本体３の周壁部８に形成された注水口１３を開いて外部の水を函本体３内に注水する。
【００８０】
注水作業が完了したら、図８（ｈ）に示すように、潜水士により揺動防止梁材２０，２０を撤去するとともに、チェーン等の浮き上がり防止部材１８，１８...を水中構造物Ａより取り外し、水中構造物Ａに対する函本体３の固定状態を解除し、吊り持ち用部材１０にワイヤーロープ９を取り付け、クレーンによる仮締切用函体１の吊り上げ作業を行う。
【００８１】
その際、止水部材４が挿通孔２内に楔状に嵌め込まれ、且つ、ドライアップ時の函内外圧力差により強く圧入された状態であるが、函本体３の吊り上げに伴い、水中構造物Ａ外周面と止水部材４との接触面部にせん断方向の力が加わり、当該せん断方向の力及び自重により両扉部材５，５が回動し、開閉扉６が開く。
【００８２】
このように開閉扉６が開くことにより、止水部材４を構成する各止水ピース３４，３４...が水中構造物Ａより離脱するとともに、拡開口部２１が開口し、挿通孔２により開口面積の広い開口部が確保される。
【００８３】
そして、開閉扉６が開いた状態で更に仮締切用函体１を吊り上げ、仮締切用函体１を撤去する。その場合に、拡開口部２１が開口し、挿通孔２により開口面積の広い開口部が確保されたことにより、ブラケット４３等の水中構造物Ａの外周面より突出した部分が函本体３底部と接触しないので、函体を水中で解体することなく有底筒状を維持したまま水中構造物Ａに沿って上昇させることができる。
【００８４】
また、作業対象の水中構造物Ａが複数ある場合には、図８（ｊ）に示すように、地上に設置された組立て用架台４４に載置した状態で、両扉部材５，５を閉じ、且つ両固定部材２６，２６を連結ピンにより連結して各扉部材５，５の回動を規制するとともに、各止水ピース３４，３４...を保持部３５の下端側に配置し直し、上述の作業を繰り返す。
【００８５】
尚、上述の実施例では、ヒンジ２２を介して函本体３底部に支持された一対の扉部材５，５をもって構成した観音開き式の開閉扉６を備えたものについて説明したが、各扉部材５，５を底版部７に挿通孔２径方向にスライド可能に支持させた引き戸式の開閉扉６を備えたものであってもよい。
【００８６】
また、上述の実施例では、底版部７に拡開口部２１を備え、当該拡開口部２１内に扉部材５，５を嵌合させた構造のものについて説明したが、底版部７全体を複数の扉部材５，５をもって構成し、底版全体が開閉する構造であってもよい。
【００８７】
更に、上述の実施例では、開閉扉６を一対の扉部材５，５により構成した例について説明したが、扉部材５，５の数量はこれに限定されず、３枚以上の複数であってもよく、また、一の扉部材により開閉扉を構成し、水中構造物Ａ周りの底版部の一部分のみが開閉されるようにしてもよい。
【００８８】
また、上述の実施例では、函本体３を上端が開口した有底筒状に形成された例について説明したが、函本体３の上端を天版により閉鎖し、函本体３全体を水中に設置できるようにしたものであってもよい。
【００８９】
更に、上述の実施例では、有底筒状に組み立てた状態で函本体３をクレーン等で吊り下ろして水中構造物Ａに設置する例について説明したが、函本体３の水中構造物Ａへの設置方法は、上述の如き方法に限定されず、例えば、函本体３をヒンジを介して開閉可能に接合された一対の半割函体をもって構成し、ヒンジを軸に両半割函体を開いた状態で水中に沈めて水中構造物Ａの外周部に配置した後、両半割函体を閉じて函本体３を組み立てることにより設置し、函本体３を撤去する際には、開閉扉６を開いて有底筒状を維持したまま吊り上げるようにしてもよい。
【００９０】
また、函本体３の設置に関しては、開閉扉６を開いた状態で設置作業を行い、函本体３の水中構造物Ａへの設置が完了した後、開閉扉６を閉じて函本体３内外を遮断するようにしてもよい。
【符号の説明】
【００９１】
Ａ  水中構造物
Ｂ  水面
１  仮締切用函体
２  挿通孔
３  函本体
４  止水部材
５  扉部材
６  開閉扉
７  底版部
８  周壁部
９  ワイヤーロープ
１０  吊り持ち用部材
１１  周壁部ユニット
１２  底版部ユニット
１３  注水口
１４  仮固定用梁材
１５  仮固定部
１６  位置決めガイド部材
１７  浮き上がり防止用梁材
１８  浮き上がり防止部材
１９  フック
２０  揺動防止用梁材
２１  拡開口部
２２  ヒンジ
２３  開口側傾斜部
２４  扉側傾斜部
２５  止水材
２６  固定部材
２７  連結部材
２８  扉側回転軸
２９  開口側回転軸
３０  クランク部材
３１  テーパ部
３２  貫通孔
３３  テーパ面部
３４  止水ピース
３５  保持部
３６  ガイド部
３７  抜け止め部
【図１】
2014047533.tif 000003
【図２】
2014047533.tif 000004
【図３】
2014047533.tif 000005
【図４】
2014047533.tif 000006
【図５】
2014047533.tif 000007
【図６】
2014047533.tif 000008
【図７】
2014047533.tif 000009
【図８】
2014047533.tif 000010
【図９】
2014047533.tif 000011
【図１０】
2014047533.tif 000012